(57)【要約】【課題】  下枠本体の上面に下枠補助材を取り付けるものであって、下枠補助材の着脱時に縦枠に接触することがないサッシを提供する。【解決手段】  下枠と、左右の縦枠とを備え、下枠は、左右の縦枠と枠組みした下枠本体と、下枠本体の上面に取り付けた下枠補助材及び端部部品とを有しており、下枠補助材は、左右の少なくとも一方の端面が、上側から下側に向けて左右方向中央側へ傾斜しており、端部部品は、左右のうち下枠補助材の端面を傾斜させた方の縦枠に当接させて設置してあって、下枠補助材の端面に対向する当接面を有しており、下枠補助材の端面を、端部部品の当接面に当接させて取り付けてある。【選択図】      図１
2014005606.tif 000002
【特許請求の範囲】
【請求項１】
下枠と、左右の縦枠とを備え、下枠は、左右の縦枠と枠組みした下枠本体と、下枠本体の上面に取り付けた下枠補助材及び端部部品とを有しており、下枠補助材は、左右の少なくとも一方の端面が、上側から下側に向けて左右方向中央側へ傾斜しており、端部部品は、左右のうち下枠補助材の端面を傾斜させた方の縦枠に当接させて設置してあって、下枠補助材の端面に対向する当接面を有しており、下枠補助材の端面を、端部部品の当接面に当接させて取り付けてあることを特徴とするサッシ。
【請求項２】
下枠と、左右の縦枠とを備え、下枠は、左右の縦枠と枠組みした下枠本体と、下枠本体の上面に取り付けた下枠補助材及び端部部品とを有しており、下枠補助材は、左右の少なくとも一方の端面が、室外側から室内側に向けて左右方向中央側へ傾斜しており、端部部品は、左右のうち下枠補助材の端面を傾斜させた方の縦枠に当接させて設置してあって、下枠補助材の端面に対向する当接面を有しており、下枠補助材の端面を、端部部品の当接面に当接させて取り付けてあることを特徴とするサッシ。
【発明の詳細な説明】
【技術分野】
【０００１】
本発明は、下枠の上面をフラットに形成したサッシに関する。
【背景技術】
【０００２】
下枠の上面をフラットに形成したバリアフリータイプのサッシにおいては、特許文献１や特許文献２に示すように、下枠が、下枠本体（ベース部材）と、その上側に取り付けた下枠補助材（目板材、上面部材）からなるものが一般的である。下枠本体は、四周枠体を構成するものであり、下枠補助材は、上面をフラットに形成するためのものである。
【先行技術文献】
【特許文献】
【０００３】
【特許文献１】特開２００３−９７１５２号公報
【特許文献２】特開２００４−２９３２２９号公報
【発明の概要】
【発明が解決しようとする課題】
【０００４】
これらのサッシにおいては、組み立て時に下枠補助材を下枠本体に取り付け、また清掃時に下枠補助材を着脱するが、左右に長尺な下枠補助材を着脱する際に、下枠補助材の端部が左右の縦枠に接触して縦枠を傷付けてしまう場合があることが問題であった。
【０００５】
本発明は、上記事情を鑑みたものであり、下枠本体の上面に下枠補助材を取り付けるものであって、下枠補助材の着脱時に縦枠に接触することがないサッシを提供することを目的とする。
【課題を解決するための手段】
【０００６】
本発明のうち請求項１の発明は、下枠と、左右の縦枠とを備え、下枠は、左右の縦枠と枠組みした下枠本体と、下枠本体の上面に取り付けた下枠補助材及び端部部品とを有しており、下枠補助材は、左右の少なくとも一方の端面が、上側から下側に向けて左右方向中央側へ傾斜しており、端部部品は、左右のうち下枠補助材の端面を傾斜させた方の縦枠に当接させて設置してあって、下枠補助材の端面に対向する当接面を有しており、下枠補助材の端面を、端部部品の当接面に当接させて取り付けてあることを特徴とする。なお、「下枠補助材の端面が上側から下側に向けて左右方向中央側へ傾斜する場合」には、端面の全面がそのような向きに傾斜している場合だけではなく、端面の一部がそれとは異なる向きである場合も含む。また、端部部品は、下枠補助材の一方の端面のみが傾斜している場合は一方側のみに設け、下枠補助材の両端面が傾斜している場合は両側に設ける。
【０００７】
本発明のうち請求項２の発明は、下枠と、左右の縦枠とを備え、下枠は、左右の縦枠と枠組みした下枠本体と、下枠本体の上面に取り付けた下枠補助材及び端部部品とを有しており、下枠補助材は、左右の少なくとも一方の端面が、室外側から室内側に向けて左右方向中央側へ傾斜しており、端部部品は、左右のうち下枠補助材の端面を傾斜させた方の縦枠に当接させて設置してあって、下枠補助材の端面に対向する当接面を有しており、下枠補助材の端面を、端部部品の当接面に当接させて取り付けてあることを特徴とする。なお、「下枠補助材の端面が室外側から室内側に向けて左右方向中央側へ傾斜する場合」には、端面の全面がそのような向きに傾斜している場合だけではなく、端面の一部がそれとは異なる向きである場合も含む。また、端部部品は、下枠補助材の一方の端面のみが傾斜している場合は一方側のみに設け、下枠補助材の両端面が傾斜している場合は両側に設ける。
【発明の効果】
【０００８】
本発明のうち請求項１の発明によれば、下枠補助材の少なくとも一方の端面が縦枠の内周側面に対して傾斜しており、下枠補助材の他方の端部を回転中心として、下枠補助材の一方の端部を上側から回転させて着脱することで、下枠補助材の端部が縦枠の内周側面に接触することを回避できる。また、下枠補助材の左右の両端面が垂直である場合、下枠補助材を着脱可能とするためには、左右の縦枠の間隔よりも下枠補助材を短くして、ある程度のクリアランスを設けることが必要であったが、本発明のように下枠補助材を回転させて取り付けるようにすると、クリアランスが不要となり、さらに、端部部品の当接面を下枠補助材の端面に対向して傾斜させてあるので、下枠補助材の端面と端部部品の当接面とを密着させることができ、この部分の気密性・水密性が向上する。
【０００９】
本発明のうち請求項２の発明によれば、下枠補助材の少なくとも一方の端面が縦枠の内周側面に対して傾斜しており、下枠補助材の他方の端部を回転中心として、下枠補助材の一方の端部を室外側から回転させて着脱することで、下枠補助材の端部が縦枠の内周側面に接触することを回避できる。また、下枠補助材の左右の両端面が室内外方向に平行である場合、下枠補助材を着脱可能とするためには、左右の縦枠の間隔よりも下枠補助材を短くして、ある程度のクリアランスを設けることが必要であったが、本発明のように下枠補助材を回転させて取り付けるようにすると、クリアランスが不要となり、さらに、端部部品の当接面を下枠補助材の端面に対向して傾斜させてあるので、下枠補助材の端面と端部部品の当接面とを密着させることができ、この部分の気密性・水密性が向上する。
【図面の簡単な説明】
【００１０】
【図１】第一実施形態の下枠部分の正面図である。
【図２】第一実施形態の下枠部分の平面図である。
【図３】第一実施形態の下枠部分の縦断面図である。
【図４】第一実施形態の下枠本体を示し、（ａ）は上面図、（ｂ）は正面図、（ｃ）は側面図である。
【図５】第一実施形態の下枠補助材を示し、（ａ）は上面図、（ｂ）は正面図、（ｃ）は下面図、（ｄ）は側面図である。
【図６】第一実施形態の端部部品を示し、（ａ）は上面図、（ｂ）は側面図、（ｃ）は正面図である。
【図７】第一実施形態における下枠補助材の取り付け方の説明図である。
【図８】端部部品の突起の形状の説明図である。
【図９】第二実施形態の下枠部分の正面図である。
【図１０】第二実施形態における下枠補助材の取り付け方の説明図である。
【図１１】第三実施形態における下枠補助材の取り付け方の説明図である。
【図１２】第四実施形態の下枠部分の平面図である。
【図１３】第四実施形態の下枠部分の正面図である。
【図１４】第四実施形態の下枠部分の縦断面図である。
【図１５】第四実施形態の下枠補助材を示し、（ａ）は上面図、（ｂ）は正面図、（ｃ）は下面図、（ｄ）は側面図である。
【図１６】第四実施形態の端部部品を示し、（ａ）は上面図、（ｂ）は側面図、（ｃ）は正面図である。
【図１７】第四実施形態における下枠補助材の取り付け方の説明図である。
【図１８】第五実施形態における下枠補助材の取り付け方の説明図である。
【発明を実施するための形態】
【００１１】
以下、本発明の実施の形態を図面に基づいて説明する。なお、以下において左右とは、サッシを室外側から見たときの左右を示すものとする。このサッシの第一実施形態は、上枠と、下枠１０と、左右の縦枠２０とを四周枠組みした枠体に、二枚の障子（外障子４ａと内障子４ｂ）を引違いに納めた引違い窓を構成する。これらの障子を閉鎖した際、外障子４ａは右側、内障子４ｂは左側に位置する。そして、下枠１０は、左右の縦枠２０と枠組みした下枠本体１と、下枠本体１の上面に取り付けた下枠補助材２とを備えている。下枠補助材２の上面は略フラットに形成されており、つまずきなどを防いだバリアフリータイプのものとなっている。以下、下枠１０の構成について詳述する。
【００１２】
下枠本体１は、アルミ形材からなるものであり、図３及び図４に示すように、本体上側面部１１と、本体ホロー部１２と、起立片１３と、網戸レール１４とを備える。本体上側面部１１は、室内外に延び、室外側に向けて緩やかに下方に傾斜している。そして、本体ホロー部１２は、本体上側面部１１の下側に形成した断面略矩形の空隙である。その室外側端は本体上側面部１１の室外側端に一致し、室内側端は本体上側面部１１の室内外中央部に位置しており、本体上側面部１１もその一部（上側面）を構成する。また、起立片１３は、本体上側面部１１の室内側端から垂直上方に延びている。さらに、網戸レール１４は、本体ホロー部１２の室外側面に形成してあり、断面略Ｌ字形である。そして、図４に示すように、本体ホロー部１２の上側面（本体上側面部１１）には、本体上面排水孔１５を形成してあり、本体ホロー部１２の室外側面には、本体正面排水孔１６を形成してある。本体上面排水孔１５と本体正面排水孔１６は、何れも略矩形の貫通孔であって、それぞれ左右方向に複数個形成してある。なお、本体正面排水孔１６には開閉弁（図示省略）を取り付けてあり、本体ホロー部１２及びそれに連通する空隙を室内圧に維持して、効率的に排水できるようにしてある。
【００１３】
次に、下枠補助材２は、樹脂からなるものである。図３及び図５に示すように、上面には、室外側の外上側面部２１ａと、室内側の内上側面部２１ｂが形成されており、外上側面部２１ａの室外側には外溝２６ａが、外上側面部２１ａと内上側面部２１ｂの間には内溝２６ｂが、内上側面部２１ｂの室内側にはアングル片２１ｃが形成されている。外上側面部２１ａは、室内外に延び、室外側部分は略水平で、室内側部分は室内側に向けて緩やかに下方に傾斜している。一方、内上側面部２１ｂは、室内外に伸び、室外側部分は略水平で、室内側部分は室外側に向けて緩やかに下方に傾斜している。そして、外溝２６ａ及び内溝２６ｂは、何れも上向きに開口する断面略Ｕ字形の溝である。また、アングル片２１ｃは、室内側に向けて水平向きに延出している。さらに、外上側面部２１ａの室外側の水平部分と、内上側面部２１ｂの室外側の水平部分には、それぞれ外レール２２ａと内レール２２ｂが形成してある。外レール２２ａ及び内レール２２ｂは、何れも上向きに突出するものであって、曲線的に微小隆起した形状である。このように、外上側面部２１ａ及び内上側面部２１ｂが水平面又は緩やかな傾斜面となっており、また外レール２２ａ及び内レール２２ｂは微小隆起した形状であるから、下枠補助材２（外上側面部２１ａ及び内上側面部２１ｂ）の上面は、略フラットであるといえる。
【００１４】
また、内レール２２ｂの下側には、略垂直向きの壁面部２４を形成してある。壁面部２４は、下枠補助材２の内上側面部２１ｂから、下枠本体１の本体上側面部１１まで延びるものである。さらに、内上側面部２１ｂを上側面、壁面部２４を室外側面として、略矩形の内ホロー部２３ｂを形成してある。内ホロー部２３ｂの下側面は、下枠本体１の本体上側面部１１に当接しており、内ホロー部２３ｂの室内側面は、下枠本体１の起立片１３に近接して対向している。また、外レール２２ａの下側には、外ホロー部２３ａを形成してある。外ホロー部２３ａは、外上側面部２１ａの水平部分を上側面として、室外側部分は外溝２６ａの下側に回り込むように形成してあり、下側面は下枠本体１の本体上側面部１１に当接しており、室外側面は下枠補助材２の室外側端に位置している。なお、外ホロー部２３ａと内ホロー部２３ｂの間には、外上側面部２１ａ及び内溝２６ｂを上側面、下枠本体１の本体上側面部１１を下側面として、中間空隙部２３ｃが形成される。下枠本体１の本体上面排水孔１５は、中間空隙部２３ｃに連通している。そして、内レール２２ｂの室内側、すなわち内上側面部２１ｂの水平部分には、上面排水孔２５ａが形成してあり、上面排水孔２５ａは内ホロー部２３ｂに連通している。また、内ホロー部２３ｂの室外側下端部には、下部排水孔２５ｂが形成してあり、中間空隙部２３ｃに連通している。よって、内上側面部２１ｂから、上面排水孔２５ａ、内ホロー部２３ｂ、下部排水孔２５ｂ、中間空隙部２３ｃ、本体上面排水孔１５、本体ホロー部１２及び本体正面排水孔１６を経由して室外側に連通する排水経路が形成される。さらに、外溝２６ａの底部には外溝排水孔２５ｃが形成してあり、外ホロー部２３ａに連通している。また、内溝２６ｂの底部には内溝排水孔２５ｄが形成してあり、中間空隙部２３ｃに連通している。さらに、外ホロー部２３ａの室外側面には正面排水孔２５ｅが形成してあり、室外側と連通している。これらの排水孔は、何れも左右方向に複数個形成してある。ただし、内溝排水孔２５ｄは、下枠補助材２の中央より右側部分のみに形成してある。そして、内溝２６ｂの中央には閉止部材（図示省略）を挿入してあって、内溝２６ｂを左右に遮断している。
【００１５】
さらに、図５（ｂ）に示すように、下枠補助材２の左右の端面５は、上側から下側に向けて左右方向中央側へ約４５度傾斜している。より詳しくは、左右の端面５の上端のわずかな部分は垂直であって、その下側部分全体が傾斜している。この垂直部分の下端は、外上側面部２１ａの室内側端の高さに合わせたものである。外上側面部２１ａの室内側端は、外上側面部２１ａ及び内上側面部２１ｂの中で最も低い箇所であり、すなわち、外上側面部２１ａと内上側面部２１ｂの左右の端面５はすべて垂直に形成されていて、その下側が傾斜しているということである。このようにしたのは、下枠補助材２の最上端部から端面５を傾斜させると、外上側面部２１ａや内上側面部２１ｂの低い部分では左右端が中央側に食い込んでしまうので、隙間を生じて気密性・水密性が低下し、また意匠性も損なわれるからである。
【００１６】
そして、図３に示すように、外レール２２ａ及び内レール２２ｂの上を、それぞれ外障子４ａと内障子４ｂの戸車４１ａ，４１ｂが走行する。なお、外障子４ａと内障子４ｂは、何れも室外側下端部から下方に延びる垂下片４２ａ，４２ｂを有しており、外障子４ａの垂下片４２ａが外溝２６ａに挿入されており、内障子４ｂの垂下片４２ｂが内溝２６ｂに挿入されている。そして、外溝２６ａ内の室内側面及び内溝２６ｂ内の室外側面と室内側面にはタイト材２７が取り付けてあって、各タイト材２７は垂下片４２ａ，４２ｂに当接しており、室内外を遮断して気密性・水密性を確保している。
【００１７】
さらに、図１及び図２に示すように、下枠補助材２の左右両端と、左右の縦枠２０の間には、それぞれ樹脂製の端部部品３を設けてある（図１及び図２は右側端について図示）。図６に示すように、端部部品３（右側端に取り付けるもの）は、ブロック状のもので、左側面が、上側から下側に向けて左右方向中央側へ約４５度傾斜しており、この面が下枠補助材２の端面５と当接する当接面６となっている。ただし、当接面６の上端部は、下枠補助材２の端面５に対応して垂直に形成されている。そして、当接面６には、中間空隙部２３ｃに挿入して係合する突起３１を形成してある。突起３１は、下枠補助材２の外上側面部２１ａに対応して、上面が室内側に向けて下方に傾斜している。また、端部部品３は、縦枠２０の内周側面に当接している。ここで、縦枠２０の内周側面には、外障子４ａ又は内障子４ｂの戸当り框に対向して内周側に突出する突条２０ａが形成されているが、この突条２０ａの下端部は切除されており、切除部に端部部品３が納まっている。また、端部部品３の上面の左右方向幅（Ｌ１）は、突条２０ａの突出長さ（Ｌ２）よりも長くなっており、端部部品３の上面には、上面と同じ左右方向幅で上向きに突出する突出片３５を形成してあって、突出片３５に突条２０ａの下端部が当接している。そして、端部部品３は、その当接面６によって、下枠補助材２の外ホロー部２３ａ及び中間空隙部２３ｃの右端を塞いでいる。また、室内側には、内ホロー部２３ｂと連通する内ホロー部連通部３２を形成してあり、内ホロー部連通部３２は、略Ｕ字形状で上側に開口している。さらに、室内外中央部には、内溝２６ｂに連通する内溝連通部３３を形成してあり、内溝連通部３３は、略Ｕ字形状で上側に開口している。また、室外側には、外溝２６ａと連通する外溝連通部３４を形成してあり、外溝連通部３４は上側、右側及び室外側に開口している。ただし、外溝連通部３４の右側には縦枠２０の内周側面が位置しているので、外溝連通部３４は外溝２６ａから室外側へ至る排水経路となっている。なお、下枠補助材２の左側端に取り付ける端部部品は、上記の右側端に取り付ける端部部品３と略左右対称のものである。ただし、下枠補助材２の外溝２６ａを塞ぐものである点と、内溝連通部が室外側に開口していて、内溝２６ｂから室外側へ至る排水経路が形成されている点が異なる。
【００１８】
このように構成した下枠補助材２及び端部部品３を下枠本体１に取り付ける際には、図７に示すように、まず、端部部品３をそれぞれ左右の縦枠２０に当接させて設置する。続いて、下枠補助材２の一方の端面５（図では左側の端面５）の垂直部分を、一方の端部部品３の当接面６の垂直部分に当接させる。この際、下枠補助材２の外上側面部２１ａを突起３１に係合させることで、正確に位置決めできる。そして、この当接部分を回転中心として下枠補助材２を回転させて、他方の端部を他方の端部部品３に上側から近づける。そのまま下枠補助材２が水平向きになる位置まで回転させると、端部部品３の当接面６が下枠補助材２の左右の端面５にそれぞれ当接し、突起３１が中間空隙部２３ｃに挿入される。そして、上面から下枠補助材２を端部部品３にネジ止め（図示省略）し、さらにアングル片２１ｃを躯体にネジ止めして、下枠補助材２が固定される。ここで、端部部品３は樹脂製であるから、ネジを受けるために金属製のナット片を挿入してある。一方、下枠補助材２を下枠本体１から取り外す際には、ネジを外して、取付時とは逆に動かせばよい。
【００１９】
なお、端部部品３の下側面と外周側面には一連のパッキンを取り付けてあり、それぞれ端部部品３と下枠本体１の上面及び端部部品３と縦枠２０の内周側面の間を密封している。また、端部部品３の当接面６にもパッキンを取り付けてあり、端部部品３と下枠補助材２の間を密封している。さらに、端部部品３の室内側面にもパッキンを取り付けてある。このパッキンは、縦枠２０の室内側端のアングル片２０ｂ（図２）の下端と、下枠本体１の室内側端の起立片１３の上端との金属同士の接触部に、室外側から当接して、縦枠２０のアングル片２０ｂの下端から室内側へ躯体内漏水が生じることを防ぐものである。
【００２０】
このように、第一実施形態においては、下枠補助材２の一端を端部部品３に当接させた上で、上側から回転させて着脱するので、下枠補助材２が左右に動くことがなく、下枠補助材２の端部が縦枠２０の内周側面に接触することを回避できる。ここで、下枠補助材２を回転させて着脱可能となったのは、下枠補助材２の端面５を上側から下側に向けて左右方向中央側へ傾斜させたからである。もし端面が垂直であれば、一端の上部を回転中心とした際に、他端の下部が端部部品３に食い込んで当接面６を傷付けたり、当接面６に取り付けたパッキンを削り取ったりしてしまうが、傾斜によりこの食い込みを回避したものであり、当接面６に取り付けたパッキンも適切に密着させて隙間を密封できる。なお、端面５の上端部には垂直部分が形成されているが、取り付け状態において回転中心と高さが略一致するわずかな部分であるから、食い込むことはなく取り付けには影響しない。また、下枠補助材２の端面５が垂直である場合、下枠補助材２を着脱可能とするためには、左右の縦枠２０の間隔よりも下枠補助材２を短くして、ある程度のクリアランスを設けることが必要であったが、第一実施形態のように下枠補助材２を回転させて取り付けるようにすると、クリアランスが不要となり、さらに、端部部品３の当接面６を下枠補助材２の端面５に対向して傾斜させてあるので、下枠補助材２の端面５と端部部品３の当接面６とを密着させることができ、この部分の気密性・水密性が向上する。そして、端部部品３は縦枠２０に当接させて設置するものであるから、縦枠２０と端部部品３、及び端部部品３と下枠補助材２とを密着させて一連のものとすることができる。さらに、端部部品３の上面の突出片３５に突条２０ａの下端部が当接しているので、縦枠２０の突条２０ａの下端部から下枠補助材２までが端部部品３により隙間なく連続して、気密・水密が維持される。
【００２１】
さらに、端部部品３の上面の左右方向幅を、縦枠２０の突条２０ａの突出長さよりも長くしたことにより、左右の端部部品３の間に納まる下枠補助材２は、縦枠２０の突条２０ａに干渉することがない。従来、この干渉を避けるために下枠補助材を見込方向に複数に分割しており、分割された部材同士の隙間からホコリや砂が入り込んで下枠本体の上面にたまってしまい、清掃に手間がかかることが問題であった。しかし、第一実施形態では、見込方向に一体の下枠補助材２を取り付けることができるので、下枠本体１にホコリや砂がたまることはなく、清掃が極めて容易である。また、下枠補助材２と突条２０ａとの干渉がなくなることで、下枠補助材２を左右方向にも一体の部材とすることが可能となり、部品点数を減らして安価に製品を提供できる。さらに、下枠補助材２の左右の端面５及びこれに対向する端部部品３の当接面６について、左右対称に傾斜させたことにより、左右のどちら側でも、都合のよい方を回転中心として下枠補助材２を着脱できる。なお、下枠本体１に対して下枠補助材２を上側から取り付けるものであって、室内外方向に動かす必要はないから、下枠本体１の上面に立ち上がり部分がある場合にも、下枠補助材２の着脱が可能である。
【００２２】
次に、図３に基づき、この下枠１０の上面に生じた水（結露水や、室外側から吹き込む雨水など）の排水経路について説明する。なお、図３はサッシの右側部分における断面を示したものである。ただし、本来サッシの左側に位置する内障子４ｂや、本来左右方向位置が異なる各排水孔２５ａ〜２５ｅのすべてを、一つの図面に模式的に示してある。まず、内レール２２ｂの室内側に生じた水は、内上側面部２１ｂの傾斜に沿って室外側へ流れ、内レール２２ｂの室内側に形成した上面排水孔２５ａへと流れ落ちる。そして水は、上面排水孔２５ａから、内ホロー部２３ｂ、下部排水孔２５ｂ、中間空隙部２３ｃ、本体上面排水孔１５、本体ホロー部１２及び本体正面排水孔１６を経由して室外側に排水される（Ａ矢印）。また、外レール２２ａと内レール２２ｂの間に生じた水は、サッシの左右で排水経路が異なる。サッシの右側、すなわち外障子４ａの室内側に生じた水は、外上側面部２１ａの傾斜に沿って室内側へ流れ、内溝２６ｂに流入し、内溝２６ｂの底部に形成した内溝排水孔２５ｄに流れ落ちる。そして水は、内溝排水孔２５ｄから、中間空隙部２３ｃ、本体上面排水孔１５、本体ホロー部１２及び本体正面排水孔１６を経由して室外側に排水される（Ｂ矢印）。一方、サッシの左側、すなわち内障子４ｂの室外側に生じた水は、外上側面部２１ａの傾斜に沿って室内側へ流れ、内溝２６ｂに流入し、内溝２６ｂの左端から左側の端部部品の内溝連通部を経由して室外側に排水される。さらに、外レール２２ａの室外側に生じた水は、外溝２６ａに流入し、外溝２６ａの底部に形成した外溝排水孔２５ｃに流れ落ちる。そして水は、外溝排水孔２５ｃから、外ホロー部２３ａ及び正面排水孔２５ｅを経由して室外側に排水される（Ｃ矢印）。また、水量が多い場合には、外溝２６ａの右端から右側の端部部品３の外溝連通部３４を経由して室外側に排水される。
【００２３】
なお、下枠補助材２の取り付けの際、左右のうち初めに端面５を当接させる側（回転中心側）においては、端部部品３の突起３１を下枠補助材２のホロー部２３に挿入するようにしてもよい（このホロー部２３は、上記の外ホロー部２３ａ又は内ホロー部２３ｂでもよいし、それらとは別に形成したものでもよい）。この場合、図８に示すように、突起３１の先端部分の下面を先細となるように傾斜させることが望ましい。このようにすれば、傾斜部分３１ａが、突起３１をホロー部２３に挿入する際のガイドとなる。また、傾斜していない根元部分３１ｂが、下枠補助材２の上下動を規制して、下枠補助材２を確実に位置決めできる。
【００２４】
また、下枠補助材２の端面５の傾斜角度は特に限定されるものではないが、垂直面に対して３０度程度の傾斜角度とすれば、上記の作用効果が得られ、かつ下枠補助材２の端部が鈍角となるので、端部の強度の低下を防ぐことができるとともに、作業者が触れてもけがをしにくく、取り扱い上の安全性も確保できる。
【００２５】
続いて、本発明のサッシの第二実施形態について説明する。第二実施形態において、第一実施形態と異なる点は、下枠補助材２０２の一方の端面のみが傾斜している点である。より詳しくは、第二実施形態は、第一実施形態と同じ断面形状の下枠２１０（下枠本体２０１及び下枠補助材２０２）と縦枠２０を備えるものであって、図９に示すように、下枠補助材２０２の右側の端面２０５のみが、上側から下側に向けて左右方向中央側へ約４５度傾斜しており、左側の端面２０５は、垂直である。そして、下枠補助材２０２の右端と右側の縦枠２０の間には、第一実施形態と同じ形状の端部部品２０３を設けてあり、下枠補助材２０２の左端は左側の縦枠２０に直接当接している。このように構成した下枠補助材２０２及び端部部品２０３を下枠本体２０１に取り付ける際には、まず、端部部品２０３を右側の縦枠２０に当接させて設置する。続いて、下枠補助材２０２の左側の端面２０５の上端部を、左側の縦枠２０に当接させる。この際、下枠補助材２０２を縦枠２０の突条２０ａの下端の切除部に潜り込ませることになるが、下枠補助材２０２と突条２０ａとの干渉を避ける必要がある。そこで、図１０に示すように、取り付けの際には下枠補助材２０２を本来の位置よりも室内側にずらし、内溝２２６ｂに突条２０ａの下端部を入り込ませるようにして、突条２０ａを回避する。そして、縦枠２０に当接させた左側の端面２０５の上端部を回転中心として下枠補助材２０２を回転させて、右側の端部を端部部品２０３に上側から近づける。下枠補助材２０２を突条２０ａに干渉しない位置まで回転させたら、下枠補助材２０２を室外側の本来の位置にずらし、さらに下枠補助材２０２が水平向きになる位置まで回転させると、端部部品２０３の当接面２０６が下枠補助材２０２の右側の端面２０５に当接する。また、左側の縦枠２０の突条２０ａの下端は、下枠補助材２０２の上面に略当接する。
【００２６】
この第二実施形態のように、下枠補助材２０２の一方の端面２０５のみを傾斜させた場合でも、他方の端部を回転中心として上側から回転させて着脱することで、下枠補助材２０２が左右に動くことがなく、下枠補助材２０２の端部が不意に縦枠２０の内周側面に接触することを回避できる。また、下枠補助材２０２の左右の両端面２０５が垂直である場合、下枠補助材２０２を着脱可能とするためには、左右の縦枠２０の間隔よりも下枠補助材２０２を短くして、ある程度のクリアランスを設けることが必要であったが、下枠補助材２０２を回転させて取り付けるようにすると、クリアランスが不要となり、さらに、端部部品２０３の当接面２０６を下枠補助材２０２の端面２０５に対向して傾斜させてあるので、下枠補助材２０２の端面２０５と端部部品２０３の当接面２０６とを密着させることができ、この部分の気密性・水密性が向上する。その他、端部部品２０３と、下枠補助材２０２又は縦枠２０との関係は、第一実施形態の場合と同じである。なお、第二実施形態では、垂直に形成した下枠補助材２０２の左側の端面２０５を縦枠２０に直接当接させているが、下枠補助材２０２の左側の端面２０５にキャップ部品を取り付けて、キャップ部品が下枠補助材２０２の左端と左側の縦枠２０の間に位置するようにしてもよい。この場合、キャップ部品は、第一実施形態の左側に取り付けた端部部品のように、内溝２２６ｂから室外側へ至る排水経路を有することが望ましい。
【００２７】
続いて、本発明のサッシの第三実施形態について説明する。第三実施形態において、第一実施形態と異なる点は、下枠補助材３０２が長手方向（左右方向）に三分割されている点である。より詳しくは、第三実施形態は、第一実施形態と同じ断面形状の下枠３１０（下枠本体３０１及び下枠補助材３０２）と縦枠２０、及び左右の端部部品３０３を備えるものであって、下枠補助材３０２の左右の端面３０５は、上側から下側に向けて左右方向中央側へ約４５度傾斜している。そして、下枠補助材３０２が、長手方向に略三等分に分割されており、これらを左側から左側部材３０２Ｌ、中央部材３０２Ｃ及び右側部材３０２Ｒとする。このように構成した下枠補助材３０２及び端部部品３０３を下枠本体３０１に取り付ける際には、図１１に示すように、まず、端部部品３０３をそれぞれ左右の縦枠２０に当接させて設置する。続いて、左側部材３０２Ｌを下枠本体３０１の上面に載置して、左側の端面３０５を左側の端部部品３０３の当接面３０６に当接させ、さらに中央部材３０２Ｃを下枠本体３０１の上面に載置して、左端を左側部材３０２Ｌの右端に当接させる。そして、右側部材３０２Ｒの左端を中央部材３０２Ｃの右端に当接させ、この当接部分を回転中心として右側部材３０２Ｒを回転させて、右端を右側の端部部品３０３に上側から近づける。そのまま右側部材３０２Ｒが水平向きになる位置まで回転させると、右側の端部部品３０３の当接面３０６が右側部材３０２Ｒの右側の端面３０５に当接する。なお、上記の例では左側部材３０２Ｌを先に取り付けたが、もちろん右側部材３０２Ｒを先に取り付けてもよい。
【００２８】
この第三実施形態のように、下枠補助材３０２の長手方向に分割した場合でも、最端部の部材を上側から回転させて着脱することで、下枠補助材３０２を構成する各部材が不意に縦枠２０の内周側面に接触することを回避できる。また、下枠補助材３０２の左右の両端面３０５が垂直である場合、下枠補助材３０２を着脱可能とするためには、左右の縦枠２０の間隔よりも下枠補助材３０２を短くして、ある程度のクリアランスを設けることが必要であったが、下枠補助材３０２を回転させて取り付けるようにすると、クリアランスが不要となり、さらに、端部部品３０３の当接面３０６を下枠補助材３０２の端面３０５に対向して傾斜させてあるので、下枠補助材３０２の端面３０５と端部部品３０３の当接面３０６とを密着させることができ、この部分の気密性・水密性が向上する。その他、端部部品３０３と、下枠補助材３０２又は縦枠２０との関係は、第一実施形態の場合と同じである。なお、このように下枠補助材３０２を三分割した場合、内障子及び外障子を左右の一方に寄せることで、障子を取り外すことなく、左側部材３０２Ｌ又は右側部材３０２Ｒを着脱できる。
【００２９】
続いて、本発明のサッシの第四実施形態について説明する。第一実施形態と異なる部分を中心に説明し、第一実施形態と同じ部分の説明は適宜省略する。第四実施形態の下枠４１０も、下枠本体４０１と下枠補助材４０２とを備えるものであり、下枠本体４０１については、第一実施形態と略同じものである。そして、下枠補助材４０２は、図１４及び図１５に示すように、室外側補助材４０２ａと室内側補助材４０２ｂの二部材に分割されている。なお、図１４はサッシの右側部分における断面を示したものである。ただし、本来サッシの左側に位置する内障子や、本来左右方向位置が異なる各排水孔のすべてを、一つの図面に模式的に示してある。室外側補助材４０２ａは、室外側端から内上側面部４２１ｂの水平部分までを構成しており、室内側補助材４０２ｂは、内上側面部４２１ｂの傾斜部分から室内側端までを構成していて、内上側面部４２１ｂ及び内ホロー部４２３ｂも室内外に分割されている。内レール４２２ｂの下側には、壁面部４２４を形成してある。壁面部４２４は、室外側補助材４０２ａの内上側面部４２１ｂから下側に延び、途中で室外側に屈曲してさらに下側に延びており、内ホロー部４２３ｂの一部を構成するとともに、内溝４２６ｂのタイト材ホルダ及び内溝４２６ｂの一部を構成している。そして、第一実施形態と同じように、内レール４２２ｂの室内側、すなわち室外側補助材４０２ａの内上側面部４２１ｂの水平部分には、上面排水孔４２５ａが形成してあり、上面排水孔４２５ａは内ホロー部４２３ｂに連通している。また、内ホロー部４２３ｂの室外側下端部には、下部排水孔４２５ｂが形成してあり、中間空隙部４２３ｃに連通している。よって、内レール４２２ｂの室内側に生じた水の排水経路は、第一実施形態と同じである（図１４中の点線矢印）。その他、外上側面部４２１ａ、アングル片４２１ｃ、外ホロー部４２３ａ、外溝４２６ａ、外溝排水孔４２５ｃ、内溝排水孔４２５ｄ及び正面排水孔４２５ｅの構成も第一実施形態と同じであり、外レール４２２ａと内レール４２２ｂの間及び外レール４２２ａの室外側に生じた水の排水経路も、第一実施形態と同じである。
【００３０】
また、図１５（ａ）に示すように、室外側補助材４０２ａの左右の端面４０５は、垂直向きであってかつ室外側から室内側に向けて左右方向中央側へ約３０度傾斜している。一方、室内側補助材４０２ｂの左右の端面は、垂直向きであってかつ室内外方向に平行である。
【００３１】
さらに、図１２及び図１３に示すように、下枠補助材４０２の左右両端と、左右の縦枠２０の間には、それぞれ樹脂製の端部部品４０３を設けてある（図１２及び図１３は右側端について図示）。図１６に示すように、端部部品４０３（右側端に取り付けるもの）は、ブロック状のもので、左側面の室外側部分は、室外側から室内側に向けて左右方向中央側へ約３０度傾斜しており、室内側部分は、室内外方向に平行に形成してあり、これらの面が下枠補助材４０２の端面４０５と当接する当接面４０６となっている。そして、当接面４０６（傾斜部分）には、中間空隙部４２３ｃに挿入して係合する突起４３１を形成してある。突起４３１は、下枠補助材４０２の外上側面部４２１ａに対応して、上面が室内側に向けて下方に傾斜している。また、端部部品４０３は、縦枠２０の内周側面に当接している。ここで、縦枠２０の内周側面には、外障子４ａ又は内障子４ｂの戸当り框に対向して内周側に突出する突条２０ａが形成されているが、この突条２０ａの下端部は切除されており、切除部に端部部品４０３が納まっている。また、端部部品４０３の上面には、上向きに突出する突出片４３５を形成してあって、突出片４３５に突条２０ａの下端部が当接している。そして、端部部品４０３は、その当接面４０６によって、下枠補助材４０２の外ホロー部４２３ａ及び中間空隙部４２３ｃの右端を塞いでいる。また、室内側には、内ホロー部４２３ｂと連通する内ホロー部連通部４３２を形成してあり、内ホロー部連通部４３２は、略Ｕ字形状で上側に開口している。さらに、室内外中央部には、内溝４２６ｂに連通する内溝連通部４３３を形成してあり、内溝連通部４３３は、略Ｕ字形状で上側に開口している。また、室外側には、外溝４２６ａと連通する外溝連通部４３４を形成してあり、外溝連通部４３４は上側、右側及び室外側に開口している。ただし、外溝連通部４３４の右側には縦枠２０の内周側面が位置しているので、外溝連通部４３４は外溝４２６ａから室外側へ至る排水経路となっている。なお、下枠補助材４０２の左側端に取り付ける端部部品は、上記の右側端に取り付ける端部部品４０３と略左右対称のものである。ただし、下枠補助材４０２の外溝４２６ａを塞ぐものである点と、内溝連通部が室外側に開口していて、内溝４２６ｂから室外側へ至る排水経路が形成されている点が異なる。
【００３２】
このように構成した下枠補助材４０２及び端部部品４０３を下枠本体４０１に取り付ける際には、図１７に示すように、まず、端部部品４０３をそれぞれ左右の縦枠２０に当接させて設置する。続いて、室外側補助材４０２ａの一方の端面４０５（図では左側の端面４０５）の室外側端部分を、一方の端部部品４０３の当接面４０６の室外側端部分に当接させる。そして、この当接部分を回転中心として室外側補助材４０２ａを回転させて、他方の端部を他方の端部部品４０３に室外側から近づける。そのまま室外側補助材４０２ａが左右方向に平行な向きになる位置まで回転させると、端部部品４０３の当接面４０６が室外側補助材４０２ａの左右の端面４０５にそれぞれ当接し、突起４３１が中間空隙部４２３ｃに挿入されて正確に位置決めできる。その後、室外側補助材４０２ａの室内側に室内側補助材４０２ｂを取り付け、アングル片４２１ｃを躯体にネジ止めして、下枠補助材４０２が固定される。一方、下枠補助材４０２を下枠本体４０１から取り外す際には、ネジを外して、取付時とは逆に動かせばよい。
【００３３】
なお、端部部品４０３の下側面と外周側面には一連のパッキンを取り付けてあり、それぞれ端部部品４０３と下枠本体４０１の上面及び端部部品４０３と縦枠２０の内周側面の間を密封している。また、端部部品４０３の当接面４０６にもパッキンを取り付けてあり、端部部品４０３と下枠補助材４０２の間を密封している。さらに、端部部品４０３の室内側面にもパッキンを取り付けてある。このパッキンは、縦枠２０の室内側端のアングル片２０ｂ（図１２）の下端と、下枠本体４０１の室内側端の起立片４１３の上端との金属同士の接触部に、室外側から当接して、縦枠２０のアングル片２０ｂの下端から室内側へ躯体内漏水が生じることを防ぐものである。また、室外側補助材４０２ａと室内側補助材４０２ｂの間にもパッキンを設けて、両者の間を密封している。
【００３４】
このように、第四実施形態においては、下枠補助材４０２のうち、室外側補助材４０２ａの一端を端部部品４０３に当接させた上で、室外側から回転させて着脱するので、室外側補助材４０２ａが左右に動くことがなく、室外側補助材４０２ａの端部が縦枠２０の内周側面に接触することを回避できる。ここで、室外側補助材４０２ａを回転させて着脱可能となったのは、室外側補助材４０２ａの端面４０５を室外側から室内側に向けて左右方向中央側へ傾斜させたからである。もし端面が室内外方向に平行であれば、一端の室外側端部を回転中心とした際に、他端の室内側端部が端部部品４０３に食い込んで当接面４０６を傷付けたり、当接面４０６に取り付けたパッキンを削り取ったりしてしまうが、傾斜によりこの食い込みを回避したものであり、当接面４０６に取り付けたパッキンも適切に密着させて隙間を密封できる。また、室外側補助材４０２ａの端面４０５が室内外方向に平行である場合、室外側補助材４０２ａを着脱可能とするためには、左右の縦枠２０の間隔よりも室外側補助材４０２ａを短くして、ある程度のクリアランスを設けることが必要であったが、第四実施形態のように室外側補助材４０２ａを回転させて取り付けるようにすると、クリアランスが不要となり、さらに、端部部品４０３の当接面４０６を室外側補助材４０２ａの端面４０５に対向して傾斜させてあるので、室外側補助材４０２ａの端面４０５と端部部品４０３の当接面４０６とを密着させることができ、この部分の気密性・水密性が向上する。そして、端部部品４０３は縦枠２０に当接させて設置するものであるから、縦枠２０と端部部品４０３、及び端部部品４０３と下枠補助材４０２とを密着させて一連のものとすることができる。さらに、端部部品４０３の上面の突出片４３５に突条２０ａの下端部が当接しているので、縦枠２０の突条２０ａの下端部から下枠補助材４０２までが端部部品４０３により隙間なく連続して、気密・水密が維持される。
【００３５】
さらに、下枠本体４０１に対して下枠補助材４０２を室外側から取り付けるものであって、上下方向に動かす必要はないから、縦枠２０の突条２０ａの突出長さにかかわらず、下枠補助材４０２が縦枠２０の突条２０ａに干渉することがない。従来、この干渉を避けるために下枠補助材を見込方向に複数に分割しており、分割された部材同士の隙間からホコリや砂が入り込んで下枠本体の上面にたまってしまい、清掃に手間がかかることが問題であった。しかし、第四実施形態では、見込方向に一連の下枠補助材４０２を取り付けることができるので、下枠本体４０１にホコリや砂がたまることはなく、清掃が極めて容易である（下枠補助材４０２は室外側補助材４０２ａと室内側補助材４０２ｂに分割されているが、両者は当接して一連になっており、従来品のような部材同士の隙間はないので、ホコリや砂が入らない）。なお、清掃などのメンテナンス時には、下枠補助材４０２のうち室外側補助材４０２ａのみを取り外すことができるので、作業が特に容易である。そして、下枠補助材４０２を分割したことにより、室外から見える室外側補助材４０２ａと、室内から見える室内側補助材４０２ｂとで色彩を変えることも容易である。また、下枠補助材４０２と突条２０ａとの干渉がなくなることで、下枠補助材４０２を左右方向にも一体の部材とすることが可能となり、部品点数を減らして安価に製品を提供できる。さらに、室外側補助材４０２ａの左右の端面４０５及びこれに対向する端部部品４０３の当接面４０６について、左右対称に傾斜させたことにより、左右のどちら側でも、都合のよい方を回転中心として室外側補助材４０２ａを着脱できる。
【００３６】
続いて、本発明のサッシの第五実施形態について説明する。第五実施形態において、第四実施形態と異なる点は、下枠補助材５０２が長手方向（左右方向）に二分割されている点である。より詳しくは、第五実施形態は、第四実施形態と同じ断面形状の下枠５１０（下枠本体５０１及び下枠補助材５０２（室外側補助材５０２ａ及び室内側補助材５０２ｂ））と縦枠２０、及び左右の端部部品５０３を備えるものであって、室外側補助材５０２ａの左右の端面５０５は、垂直向きであってかつ室外側から室内側に向けて左右方向中央側へ約３０度傾斜している。一方、室内側補助材５０２ｂの左右の端面は、垂直向きであってかつ室内外方向に平行である。そして、室外側補助材５０２ａが、長手方向に略二等分に分割されており、これらを左側から室外側左部材５０２ａＬ及び室外側右部材５０２ａＲとする。また、室内側補助材５０２ｂも、長手方向に略二等分に分割されており、これらを左側から室内側左部材５０２ｂＬ及び室内側右部材５０２ｂＲとする。このように構成した下枠補助材５０２及び端部部品５０３を下枠本体５０１に取り付ける際には、図１８に示すように、まず、端部部品５０３をそれぞれ左右の縦枠２０に当接させて設置する。続いて、室外側左部材５０２ａＬを下枠本体５０１の上面に載置して、左側の端面５０５を左側の端部部品５０３の当接面５０６に当接させる。そして、室外側右部材５０２ａＲの左端を室外側左部材５０２ａＬの右端に当接させ、この当接部分を回転中心として室外側右部材５０２ａＲを回転させて、右端を右側の端部部品５０３に室外側から近づける。そのまま室外側右部材５０２ａＲが左右方向に平行な向きになる位置まで回転させると、右側の端部部品５０３の当接面５０６が室外側右部材５０２ａＲの右側の端面５０５に当接する。その後、室外側補助材５０２ａの室内側に、室内側左部材５０２ｂＬ及び室内側右部材５０２ｂＲを取り付ける。なお、上記の例では室外側左部材５０２ａＬを先に取り付けたが、もちろん室外側右部材５０２ａＲを先に取り付けてもよい。
【００３７】
この第五実施形態のように、下枠補助材５０２を長手方向に分割した場合でも、最端部の部材を室外側から回転させて着脱することで、下枠補助材５０２を構成する各部材が不意に縦枠２０の内周側面に接触することを回避できる。また、室外側補助材５０２ａの端面５０５が室内外方向に平行である場合、室外側補助材５０２ａを着脱可能とするためには、左右の縦枠２０の間隔よりも室外側補助材５０２ａを短くして、ある程度のクリアランスを設けることが必要であったが、室外側補助材５０２ａを回転させて取り付けるようにすると、クリアランスが不要となり、さらに、端部部品５０３の当接面５０６を室外側補助材５０２ａの端面５０５に対向して傾斜させてあるので、室外側補助材５０２ａの端面５０５と端部部品５０３の当接面５０６とを密着させることができ、この部分の気密性・水密性が向上する。その他、端部部品５０３と、下枠補助材５０２又は縦枠２０との関係は、第四実施形態の場合と同じである。なお、このように下枠補助材５０２を二分割した場合、内障子及び外障子を左右の一方に寄せることで、障子を取り外すことなく、室外側左部材５０２ａＬ及び室内側左部材５０２ｂＬ又は室外側右部材５０２ａＲ及び室内側右部材５０２ｂＲを着脱できる。
【００３８】
本発明は、上記の実施形態に限定されない。たとえば、下枠補助材を左右方向や室内外方向に分割する場合、何個に分割してもよい。また、端部部品に、下枠補助材のアングル片と一体となるような突出部を形成してもよい。
【符号の説明】
【００３９】
１  下枠本体
２  下枠補助材
３  端部部品
５  端面
６  当接面
１０  下枠
２０  縦枠
【図１】
2014005606.tif 000003
【図２】
2014005606.tif 000004
【図３】
2014005606.tif 000005
【図４】
2014005606.tif 000006
【図５】
2014005606.tif 000007
【図６】
2014005606.tif 000008
【図７】
2014005606.tif 000009
【図８】
2014005606.tif 000010
【図９】
2014005606.tif 000011
【図１０】
2014005606.tif 000012
【図１１】
2014005606.tif 000013
【図１２】
2014005606.tif 000014
【図１３】
2014005606.tif 000015
【図１４】
2014005606.tif 000016
【図１５】
2014005606.tif 000017
【図１６】
2014005606.tif 000018
【図１７】
2014005606.tif 000019
【図１８】
2014005606.tif 000020